(57)【要約】【課題】  特にバスケット選手や野球選手のようなグリップ力や衝撃力が足にかかるようなスポーツ等に使用すると、最適な新たな構成の靴下を提供することを目的とする。【解決手段】  指部分に指袋が設けられ少なくとも指部分が２股以上に分かれた靴下１において、前記指部分１Ａを平編で編成するとともに、この指部分１Ａの付け根近傍から踵にかけての部分１Ｂのうち少なくとも足裏部分１ｂをパイル編で編成した。【選択図】図２
2005089934.tif 000002
【特許請求の範囲】
【請求項１】
指部分に指袋が設けられ少なくとも指部分が２股以上に分かれた靴下において、
前記指部分を平編で編成するとともに、この指の付け根近傍から踵にかけての部分のうち少なくとも足裏部分をパイル編で編成したことを特徴とする靴下。
【請求項２】
前記平編部分とパイル編部分とを、縫合によって一体の靴下にしたことを特徴とする請求項１記載の靴下。
【請求項３】
前記平編部分とパイル編部分とを、該平編部分の端に形成される編目に、前記パイル編を連続して編成することによって一体の靴下にしたことを特徴とする請求項１記載の靴下。
【請求項４】
前記平編部分とパイル編部分との境目部分が、該靴下を履いたときに指の付け根の凹部に位置するように構成した請求項１〜３のいずれか１の項に記載の靴下。
【発明の詳細な説明】
【技術分野】
【０００１】
本発明は、指先部分が２股以上に分かれたタイプの靴下、例えば、５本指タイプの靴下に関する。
【背景技術】
【０００２】
靴下の善し悪し如何によって足の疲れ方が極端に異なることはよく知られている。
靴下の指先部分が２本指にあるいは５本指に分かれたタイプの靴下は、水虫の人や冷え性の人に良く利用されていることは周知である（特許文献１参照）。
しかしながら、一般的に、若い女性層もこのタイプの靴下を愛用している人が多いことはあまり知られていない。
【０００３】
ところで、靴下産業も他の業種と同じく、近年中国やタイ等の人件費の低い国々に移っており、我が国靴下産業における生産業の空洞化の阻止が業界の課題となっているのは、他の業種と同じくである。
【０００４】
このような状況のもと、各靴下メーカは種々の靴下を開発している。しかしながら、実際のところ、従来の靴下はスポーツ用や作業用として、素材が異なる程度で、その構成において、ほとんど同じものが提供されているのが現状である。
【特許文献１】特開２００３−１４７６０３号公報。
【発明の開示】
【発明が解決しようとする課題】
【０００５】
本発明は、このような現況に鑑みておこなわれたもので、付加価値の高い、且つ履く人にとって疲れにくく、しかも動きやすい、特にバスケット選手や野球選手のようなグリップ力や衝撃力が足にかかるようなスポーツ等に使用すると、最適な新たな構成の靴下を提供することを目的とする。
【課題を解決するための手段】
【０００６】
本発明にかかる靴下は、指部分に指袋が設けられ少なくとも指部分が２股以上に分かれた靴下において、
前記指部分を平編で編成するとともに、この指の付け根近傍から踵にかけての部分のうち少なくとも足裏部分をパイル編で編成したことを特徴とする。
【発明の効果】
【０００７】
前述のように構成された本発明にかかる靴下によれば、足に負担がかかるグリップ力を生じさせるような状態において、指が各指袋づつ独立して自由に動くため、安定して体を支えることができるとともに、着地あるいはそれに近い状態のときに衝撃力が作用する足裏部分にはパイル編地によって該衝撃が緩和される。また、足裏の土踏まずの部分には発汗が盛んであるが、この部分がパイル編地であることから、可及的に該発汗した汗を吸収することが可能となり、常に履き心地の良い且つ体を安定して支えることができる靴下となる。
【０００８】
従って、バスケットボール選手、野球選手、バレーボール選手等によって最適な靴下を提供することができる。
【発明を実施するための最良の形態】
【０００９】
また、前記靴下において、前記平編部分とパイル編部分とを、縫合によって一体の靴下にした構成とすると、生産効率の高い製造方法によって量産可能な靴下となる。
【００１０】
また、前記靴下において、前記平編部分とパイル編部分とを、該平編部分の端に形成される編目に、前記パイル編を連続して編成することによって一体の靴下にすると、平編部分とパイル編部分の接合部分をスムーズにし、外観上美しい靴下になるとともに、履き心地の良い靴下となる。
【００１１】
また、前記靴下において、前記平編部分とパイル編部分との境目部分が、該靴下を履いたときに指の付け根の凹部に位置するように構成すると、仮に前記平編部分とパイル編部分の接合部分に若干の凹部が形成されたとしても、足裏の凹部にこの接合部分が位置し、履き心地の良い靴下となる。
【００１２】
また、前記靴下において、前記靴下の足首部分から足挿入口側にかけてゴム編に編成されていると、足にぴったりフィトした靴下となり、より疲れにくい靴下となる。
【実施例１】
【００１３】
以下、図面を参照しながら、本発明の実施例にかかる靴下について具体的に説明する。
【００１４】
図１は本発明の１つの実施例にかかる靴下の概略の外観構成を示す斜視図で、図２は図１のII−II矢視部分の断面図である。
【００１５】
図１に図示するように、この実施例にかかる靴下１は、指袋が５本付いた所謂５本指タイプの靴下であって、しかも、この靴下１は、図１あるいは図２に図示するように、指部分１Ａ、つまり爪先から指の根元部分にかけての部分が、所謂平編（メリヤス編）で編成されており、これに続く該指の根元近傍から踵にかけての部分までの部分（足裏部分１ｂと甲部分を含む）１Ｂがパイル編によって編成されている。そして、踵部分から足挿入口にかけての部分１Ｃがゴム編に編成されている。しかし、このゴム編部分については、ゴム編以外の編組織であってもよい。
そして、前記パイル編部によって編成されている踵部分までの部分とゴム編によって編成されている部分は所謂「筒編機」によって一体に編成されてる。
しかし、前記平編で編成されている指部分とパイル編で編成されている部分の接続部分は、それぞれが別に編成された後に、ミシンによって接合されることができる。そして、このようにミシンで接合する場合には、該接合部分は、一度ミシン目で接合した後に形成される重なって形成される凸部を再度その凸部上にミシンをかけることによって、接合部分が可及的に平になるよう接合されている。つまり、ミシン目で形成される凸部を再度のミシン目で潰すような工程を加えることが好ましい。
【００１６】
しかし、このようなミシンによる接合に代えて、例えば、平編の終端に形成される編目に、パイル編の始端の編目を絡めることによって、つまり、異なる編み組織で連続して編成して接合するようにしてもよく、かかる場合には、接合部分が平になって履いたときに全く違和感がない、履き心地の良い靴下となる。
【００１７】
また、前述のように、ミシンによって接合した靴下の場合には、該接合部分が、図２に図示するように、接合部分２が、指の付け根の凹部５に一致する位置になるようにすれば、仮に若干の凸部が接合部分に形成されても、この凸部は前記指の付け根の凹部５に収容されるため、全く違和感のない靴下となる。
【００１８】
ところで、前記実施例では、足の甲の部分までパイル編で編成しているが、少なくとも足裏の部分だけパイル編に編成すれば、本発明の最低の効果を生じさせることが可能となる。
つまり、前述のように構成された靴下によれば、５本の指はそれぞれ単独で自由に動かすことができるため、体の重心の移動に合わせて自由に足裏で、特に指で、体を支持することができる。従って、非常に安定して体を動かし易い靴下となる。また、指の付け根から踵部分にかけてはパイル編によって編成されているため、ジャンプしたとき、あるいはスライドさせたようなとき（又はグリップをかけたとき）にも、足裏に作用しようとする衝撃力が緩和される。従って、スポーツ用は勿論のこと登山用の靴下としても好ましい。
また、足裏の所謂「土踏まず」の部分は一般に発汗し易い部分であるが、この部分がパイル編で編成されているため、このように発汗する汗は吸湿性の高いパイル編地によって容易に吸収される。
【００１９】
ところで、前記実施例では、５本指タイプの靴下を例に上げて説明したが、これに限定されるものでなく、少なくとも指部分が２股以上に分かれたタイプ（例えば、足袋状のタイプ）の靴下の場合にも、本発明は有用に適用できることは言うまでもない。
【産業上の利用可能性】
【００２０】
本発明にかかる靴下は、スポーツ用は勿論、作業用の靴下、あるいはその他ビジネス、又はカジュアル用の靴下にも利用できる。
【図面の簡単な説明】
【００２１】
【図１】本発明の１つの実施例にかかる靴下の概略の外観構成を示す斜視図である。
【図２】図１のII−II矢視部分の断面図である。
【符号の説明】
【００２２】
１          靴下
１Ａ        指部分
１Ｂ        指の付け根近傍から踵にかけての部分
１ｂ        足裏部分
【図１】
2005089934.tif 000003
【図２】
2005089934.tif 000004